(57)【要約】      （修正有）【課題】アーティストとファンの間に新たな接点を生み出すことができると共に、楽曲の流通に付随した新たな物販を創出することができる楽曲配信システムを提供する。【解決手段】楽曲配信システム１は、電子透かし２と、スマートフォン３と、楽曲サーバ５とを備えている。ティーシャツ６に付された電子透かし２には、楽曲サーバ５にアップロードされた楽曲ファイルのＵＲＬアドレスのデータが含まれている。スマートフォン３は、電子透かし２を読み取る読取手段３１と、読取手段３１が読み取ったデータを少なくとも含む問合せデータを楽曲サーバ５に向けて送信する送信手段３３を備えている。楽曲サーバ５は、問合せデータに基づいてデータベース５ｂを検索し、ユーザに配信する楽曲ファイルのデータを抽出し、楽曲ファイルのデータをスマートフォン３に送信する楽曲データ配信手段５３を備えている。【選択図】図１
0003234578.tif 000002
【実用新案登録請求の範囲】
【請求項１】
被服、かばん類、ベルト、履物のうち何れか１つの商品に付されたコードと、前記コードを読み取り可能な携帯端末と、前記携帯端末とネットワークを介してデータの送受信が可能な楽曲サーバとを備えた楽曲配信システムであって、
前記コードには、前記楽曲サーバにアップロードされた楽曲ファイルのＵＲＬアドレスのデータが含まれており、
前記携帯端末は、
前記コードを読み取るステップを有する読取手段と、
前記読取手段が読み取ったデータを含む問合せデータを前記楽曲サーバに送信するステップを有する送信手段を備え、
前記楽曲サーバは、
前記問合せデータに基づいてデータベースを検索し、ユーザに配信する楽曲ファイルのデータを抽出するステップと、前記楽曲ファイルのデータを前記携帯端末に送信するステップとを有する楽曲データ配信手段を備えた、楽曲配信システム。
【請求項２】
前記コードは電子透かしであって、前記読取手段は前記電子透かしを検出して読み取るステップを有している、請求項１に記載の楽曲配信システム。
【請求項３】
前記商品に前記電子透かしが埋め込まれた素材が貼着されている、請求項２に記載の楽曲配信システム。
【請求項４】
前記商品に同梱されるカードを備え、前記カードにダウンロードアクセスコードが記載されていると共に、
前記携帯端末は、ユーザに前記ダウンロードアクセスコードを入力させるステップと、入力されたダウンロードアクセスコードを前記問合せデータに含めるステップとを有するダウンロードアクセスコード入力手段を更に備えている、請求項１乃至３の何れか１つに記載の楽曲配信システム。
【請求項５】
前記楽曲サーバは、
ユーザのダウンロードアクセスコードを記録する管理ファイルを備えると共に、前記問合せデータに含まれるダウンロードアクセスコードと前記管理ファイルに記録されたダウンロードアクセスコードを照合して配信の可否を判断する配信可否判断手段を更に備えている、請求項４に記載の楽曲配信システム。
【請求項６】
前記商品はティーシャツであって、
ユーザが前記ティーシャツを購入可能な販売サイトと、
前記楽曲ファイルのアップロードが可能であると共に、前記ティーシャツの製造に必要な情報を登録し、前記ティーシャツの製造を発注することが可能な手段を備えた登録サイトと、を更に備え、
前記情報には、前記ティーシャツにプリントする図柄のデータが含まれている、請求項１乃至５の何れか１つに記載の楽曲配信システム。
【請求項７】
前記図柄は、アーティストが製作したカバーアートであって、
前記登録サイトは、前記カバーアートのデータのアップロードが可能なカバーアート登録手段を備えている、請求項６に記載の楽曲配信システム。
【考案の詳細な説明】
【技術分野】
【０００１】
本考案は、楽曲の配信を希望するユーザに対し、会員カードや電子メールからのダウンロードではなく、ティーシャツ等の身近な商品からのダウンロードを可能とし、ユーザにこれまでにない新しい体験を提供できる、楽曲配信システムに関する。
【背景技術】
【０００２】
楽曲のユーザへの流通は、かつてはＣＤなどの物理的な媒体によるものであったが、現在ではストリーミングやダウンロードが中心となっている。
【０００３】
この種の楽曲配信システムとして、例えば、特許文献１には、ネットワークを通じてサーバから楽曲データをダウンロードした者に対価を請求する手段と、楽曲をサーバにアップロードした者に前記対価の一部を支払うために積算する手段と、楽曲データのダウンロード数に応じて楽曲の順位付けを行う手段を備えたものが提案されている。
【０００４】
また、特許文献２には、情報記録メディアが設置された鉄道の駅などの拠点をユーザが巡回し、携帯端末を用いて楽曲データを拾い集めるスタンプラリー方式の楽曲配信システムが開示されている。
【先行技術文献】
【特許文献】
【０００５】
【特許文献１】特開２０１４−１０３４３
【特許文献２】特開２００７−２５０２４
【考案の概要】
【考案が解決しようとする課題】
【０００６】
ところで、昨今、ストリーミングやダウンロードとは正反対の流れとして、アナログレコードが、暖かみのある音、趣きのあるレコード盤の外観、インテリアとしても利用できるお洒落なレーベルデザインなどが好評を得て、その価値が見直されている。ストリーミングはユーザに契約期間を与えるだけであり、ダウンロードしたデジタルデータもユーザの携帯情報端末に電磁的に記録されるだけで、ユーザとしては物を所有しているという感覚が希薄になりがちである。楽曲の流通は今後もストリーミングやダウンロードがメインであることに変わりはないと考えられるが、手に触れることができる物がないと、アーティスト（楽曲製作者）とファン（ユーザ）の関係が深化に至らないとの指摘もある。
【０００７】
しかし、上述した従来の楽曲配信システムでは、パソコンや携帯情報端末の入力画面にユーザ名及びパスワードを手入力するか、あるいは、駅などに設置された情報記録メディアに表示されたＱＲコード（登録商標）を読み取ることで、音楽のダウンロードが開始される。
【０００８】
そのため、従来の楽曲配信システムを用いても、ユーザの手元に残る物はなく、アーティストとファンの関係が深化に至らないという課題は解決されない。また、従来の楽曲配信システムは、ストリーミングやダウンロードを広めることはできても、楽曲の流通に付随して新しい物販を生み出すことは期待できない。
【０００９】
本考案は、このような事情に鑑みてなされたものであり、アーティストとファンの間に新たな接点を生み出すことで、ストリーミングやダウンロードの欠点を補うことが可能であると共に、楽曲の流通に付随した新たな物販を創出することができる楽曲配信システムを実現することを目的とする。
【課題を解決するための手段】
【００１０】
本考案は、
被服、かばん類、ベルト、履物のうち何れか１つの商品に付されたコードと、コードを読み取り可能な携帯端末と、携帯端末とネットワークを介してデータの送受信が可能な楽曲サーバとを備えた楽曲配信システムであって、
コードには、楽曲サーバにアップロードされた楽曲ファイルのＵＲＬアドレスのデータが含まれており、
携帯端末は、
コードを読み取るステップを有する読取手段と、
読取手段が読み取ったデータを含む問合せデータを楽曲サーバに送信するステップを有する送信手段を備え、
楽曲サーバは、
問合せデータに基づいてデータベースを検索し、ユーザに配信する楽曲ファイルのデータを抽出するステップと、楽曲ファイルのデータを携帯端末に送信するステップとを有する楽曲データ配信手段を備えた、楽曲配信システムである。
【００１１】
第２考案は、コードは電子透かしであって、読取手段は電子透かしを検出して読み取るステップを有している。
【００１２】
第３考案は、商品に電子透かしが埋め込まれた素材が貼着されている。
【００１３】
第４考案は、
商品に同梱されるカードを備え、カードにダウンロードアクセスコードが記載されていると共に、
携帯端末は、ユーザにダウンロードアクセスコードを入力させるステップと、入力されたダウンロードアクセスコードを問合せデータに含めるステップとを有するダウンロードアクセスコード入力手段を更に備えている。
【００１４】
第５考案は、
楽曲サーバは、ユーザのダウンロードアクセスコードを記録する管理ファイルを備えると共に、問合せデータに含まれるダウンロードアクセスコードと管理ファイルに記録されたダウンロードアクセスコードを照合して配信の可否を判断する配信可否判断手段を更に備えている。
【００１５】
第６考案は、
商品はティーシャツであって、
ユーザがティーシャツを購入可能な販売サイトと、楽曲ファイルのアップロードが可能であると共に、ティーシャツの製造に必要な情報を登録し、ティーシャツの製造を発注することが可能な手段を備えた登録サイトと、を更に備え、
情報には、ティーシャツにプリントする図柄のデータが含まれている。
【００１６】
第７考案は、
図柄は、アーティストが製作したカバーアートであって、
登録サイトは、カバーアートのデータのアップロードが可能なカバーアート登録手段を備えている。
【考案の効果】
【００１７】
本考案の楽曲配信システムは、被服、かばん類、ベルト、履物など、ユーザが普段身に着けるか若しくは外出する際に所持する商品に付されたコードと、このコードを読み取り可能な携帯端末と、携帯端末とネットワークを介してデータの送受信が可能な楽曲サーバとを備える。コードには、楽曲サーバのデータベースにアップロードされた楽曲ファイルのＵＲＬアドレスのデータが含まれている。そして、携帯端末は、コードを読み取るステップを有する読取手段と、読取手段が読み取ったデータを少なくとも含み所要のデータを付加した問合せデータを楽曲サーバに向けて送信するステップを有する送信手段を備えている。また、楽曲サーバは、問合せデータに基づいてデータベースを検索し、ユーザに配信する楽曲ファイルのデータを抽出するステップと、楽曲ファイルのデータを携帯端末に送信するステップとを有する楽曲データ配信手段を備えている。
【００１８】
そのため、本考案によれば、会員カードや電子メールからの配信ではなく、ユーザにとって身近な商品からの配信を可能とし、楽曲の配信を希望するユーザに新しい体験を提供できる。
【００１９】
また、楽曲ファイルの配信の入り口となる商品は、ユーザの手元に残る物であるため、本考案によれば、アーティストとファンの間に新たな接点が生まれる。また、例えば楽曲ダウンロード機能付きティーシャツの販売など、ストリーミングやダウンロードによる楽曲の流通に付随した新たな物販を創出できる。
【００２０】
第２考案によれば、コードとして電子透かしを用いるため、肉眼で見えることがなく、例えばＱＲコード（登録商標）を用いる場合と比較すると衣料品などの商品のデザインを損なうことがない。また、電子透かしを用いれば、不正コピーによってコードがネット上で拡散されてしまうリスクも低減できる。
【００２１】
第３考案によれば、商品に電子透かしが埋め込まれた素材が貼着されているため、商品の生産性が高まる。また、専用の素材とすることで耐洗濯性の高い素材を選び易くなり、読み取りエラーなどのトラブルの可能性を低減できる。
【００２２】
第４考案及び第５考案によれば、携帯端末及びサーバの双方でダウンロードアクセスコードを利用した処理を追加することにより、セキュリティが一層強化され、商品を正規に購入したユーザのみがアクセスできるシステムを構築しやすくなる。また、不正アクセスを許さないことにより、アーティスト（楽曲製作者）の不利益の排除にも貢献できる。
【００２３】
第６考案によれば、アーティスト又はアーティストの許諾を得た業者は、楽曲のダウンロードができるティーシャツを製造するメーカーに対し、登録サイトを通じて、楽曲がダウンロードできる機能を有するとともに所望の図柄がプリントされたティーシャツを効率的に発注することが可能となる。
【００２４】
第７考案によれば、アーティストが製作したカバーアートが前身頃などにプリントされたティーシャツの製造が可能となる。これにより、楽曲がダウンロードできる機能を有すると共に、デザインからもそのアーティストの感性が感じられる商品をユーザに提供できる。
【図面の簡単な説明】
【００２５】
【図１】図１は、実施形態に係る楽曲配信システムにおいて携帯端末及びサーバで実行される手段を示すブロック図である。
【図２】図２は、実施形態に係る楽曲配信システムのハードウェアの概略構成を示すブロック図である。
【図３】図３は、登録サイトと連携した楽曲配信システムの実施形態を示す図である。
【図４】図４は、登録サイトと連携した実施形態の第１変形例を示す図である。
【図５】図５は、登録サイトと連携した実施形態の第２変形例を示す図である。
【考案を実施するための形態】
【００２６】
以下、図面を参照しながら、本考案の実施形態を詳細に説明する。なお、以下の実施形態は、本考案の一例であって、本考案、その適用物、あるいはその用途の範囲を制限することを意図するものではない。
【００２７】
本実施形態の楽曲配信システム１は、図１に示すように、ティーシャツ６に付された電子透かし２と、電子透かし２を読み取り可能なスマートフォン３と、スマートフォン３とインターネット４を介してデータの送受信が可能な楽曲サーバ５とを備えている。８は、ダウンロードアクセスコードが表示されているカードである。以下では、まず、本実施形態のハードウェア構成、電子透かし２、ダウンロードアクセスコードカード８について説明する。
【００２８】
［ハードウェア構成］
スマートフォン３は、図２に示すように、中央処理装置であるＣＰＵ３０１と、読み出すことのみ可能なメモリであるＲＯＭ３０２と、書き換え可能な作業用のメモリ（主記憶）であるＲＡＭ３０３と、フラッシュメモリなどの記憶装置３０４と、インターネット４を介して楽曲楽曲サーバ５との間で通信を行う通信部３０５と、液晶ディスプレイである表示部３０６と、操作ボタン又はタッチパネルからなる操作部３０７と、背面に設けられたカメラからなる撮像部３０８と、現在時刻の情報を出力する時計部３０９と、音声を出力するスピーカ３１０と、ＧＰＳの位置情報を取得するＧＰＳ部３１１を備えている。これらの機器は配線３１２によって相互に接続されている。スマートフォン３は、電子透かし２を読み取り可能な携帯端末に相当する。また、インターネット４は、複数のコンピュータネットワークを相互に接続した地球規模の情報通信網であり、ネットワークに相当する。
【００２９】
記憶装置３０４には、スマートフォン３に後記する各手段を実行させるための所定のプログラムがあらかじめインストールされている。このプログラムにはスマートフォン３のブラウザなどの汎用部品も含まれる。プログラムはＣＰＵ３０１及びＲＡＭ３０３にロードされて実行される。これにより後記するスマートフォン３における各手段のステップが実現される。
【００３０】
楽曲サーバ５は、コンピュータ装置であり、図２に示すように、中央処理装置であるＣＰＵ５０１と、読み出すことのみ可能なメモリであるＲＯＭ５０２と、書き換え可能な作業用のメモリ（主記憶）であるＲＡＭ５０３と、ＨＤＤ（Hard Disk Drive）もしくはＳＳＤ（Solid State Drive）からなる記憶装置５０４と、インターネット４を介してスマートフォン３との間で通信を行う通信部５０５とを備えている。
【００３１】
記憶装置５０４には、楽曲サーバ５に後記する各手段を実行させるための所定のプログラムがインストールされている。このプログラムはＣＰＵ５０１及びＲＡＭ５０３にロードされて実行される。これにより、後記する楽曲サーバ５における各手段のステップが実現される。
【００３２】
［電子透かしとダウンロードアクセスコード］
ティーシャツ６は、アーティスト又はその関連企業からの発注を受けてプリントティーシャツメーカーによって製造されたものである。ティーシャツ６の前面には、図１に示すように、樹脂系の素材からなるラベル７が貼着されている。ラベル７には、人の目では視認できないコードが電子透かし２として記録されている。電子透かし２には、楽曲サーバ５のデータベース５ｂにアップロードされた楽曲ファイルのＵＲＬアドレスのデータが含まれている。電子透かし２はコードに相当するものであり、ティーシャツ６はコードが付される商品に相当するものである。ラベル７は、電子透かしが埋め込まれた素材に相当するものである。
【００３３】
ダウンロードアクセスコードカード８は、ユーザがティーシャツ６を購入したときに、そのパッケージに同梱されるカードである。ダウンロードアクセスコードカード８には、アルファベット大文字と小文字、数字、記号の組合せからなる所要の桁数のダウンロードアクセスコードが表示されている。また、このダウンロードアクセスコードは楽曲のダウンロードに不可欠なもので大切に管理するようにユーザに注意喚起する文面が記載されている。
【００３４】
［携帯端末とサーバで実行される手段］
次に、スマートフォン３及び楽曲サーバ５において実行される手段について、図１を参照しながら説明を行う。スマートフォン３にインストールされたプログラムには、以下に説明する読取手段３１、ダウンロードアクセスコード入力手段３２、送信手段３３などが実装されている。なお、以下の説明中のＰ１、Ｐ２等の符号は、図１、図３〜図５中の符号と対応したものである。
【００３５】
（１）読取手段
読取手段３１は、電子透かし２を検出して読み取るステップを有する手段である。楽曲ファイルをダウンロードする場合、ユーザは、スマートフォン３の裏側の面を電子透かし２が記録されているラベル７に正対させ、スマートフォン３のカメラ（撮像部３０８）で撮影する。これにより、読取手段３１が起動されて電子透かし２が検出され、電子透かし２に含まれる情報を読み取るステップが実行される（Ｐ１）。
【００３６】
本実施形態では、読取手段３１は、電子透かし２に含まれる楽曲ファイルのＵＲＬアドレスの情報を読み取った後、スマートフォン３を特定する端末ＩＤと読取手段３が実装されたアプリケーションを特定するアプリＩＤとからなるオーソライズコードを付加するステップと、スマートフォン３のＧＰＳ部３１１から位置情報を取得して付加するステップと、スマートフォン３の時計部３０９から時刻情報を取得して付加するステップと、電子透かし２の読取回数のデータを付加するステップを順次実行する。これらの処理を行うため、読取手段３１はスマートフォン３のローカルファイル３ａとの間でデータの読み取り及び更新を行う（Ｐ２）。
【００３７】
また、読取手段３１は、課金サーバ６０にアクセスし、上述のステップで得られたデータを送信する（Ｐ３）。課金サーバ６０では、オーソライズコードによってユーザが識別され、当該ユーザの課金データが登録又は更新される。その後、読取手段３１は、得られたデータをダウンロードアクセスコード入力手段３２に引き渡す。
【００３８】
（２）ダウンロードアクセスコード入力手段
ダウンロードアクセスコード入力手段３２は、ユーザに対し、スマートフォン３の表示画面３ｂからダウンロードアクセスコードを入力することを促し（Ｐ４）、読取手段３１から引き渡されたデータに、ユーザが入力したダウンロードアクセスコードを付加して送信手段３３にデータを引き渡す手段である。
【００３９】
（３）送信手段
送信手段３３は、読取手段３１及びダウンロードアクセスコード入力手段３２によって生成された問合せデータを楽曲サーバ５に向けて送信するステップを有する手段である。本実施形態の場合、問合せデータには、楽曲ファイルのＵＲＬアドレスのデータと共に、オーソライズコード、位置情報、時刻情報、電子透かし２の読取回数、ダウンロードアクセスコードなどのデータも含まれる。
【００４０】
次に、楽曲サーバ５で実行される手段について説明する。楽曲サーバ５にインストールされたプログラムには、以下に説明する受信手段５１、配信可否判断手段５２、楽曲データ配信手段５３などが実装されている。
【００４１】
（４）受信手段
受信手段５１は、送信手段３３から送信された問合せデータを受信し、受信した問合せデータを抽出手段５２に引き渡す手段である。
【００４２】
（５）配信可否判断手段
配信可否判断手段５２は、正規品のダウンロードアクセスコードを管理する管理ファイル５ａを検索し（Ｐ５）、問合せデータ中のダウンロードアクセスコードが管理ファイル５ａに存在するものであるか否かを判断する手段である。本実施形態では、システムの利用に先立ち、製造されたティーシャツ６ごとにダウンロードアクセスコードが決定され、管理ファイル５ａに予め登録されている。
【００４３】
配信可否判断手段５２の結果、管理ファイル５ａ中に当該ダウンロードアクセスコードが見付からない場合はＮＧに進み、送信手段５４、受信手段３４を経て、スマートフォン３の表示部３０６にＮＧメッセージが表示される（Ｐ６）。管理ファイル５ａ中に当該ダウンロードアクセスコードが見付かった場合はＯＫに進み、楽曲データ配信手段５３に問合せデータが引き渡される。
【００４４】
（６）楽曲データ配信手段
楽曲データ配信手段５３は、データベース５ｂを検索し（Ｐ７）、問合せデータ中の楽曲ファイルのＵＲＬアドレスにより特定されるデータを抽出するステップを実行する。楽曲ファイルは、１枚のアルバムに含まれる複数の楽曲ファイルが圧縮ファイルの形式で、１つのファイルとしてデータベース５ｂに保存されている。本実施形態では、楽曲データ配信手段５３は、抽出した楽曲ファイルで間違いないかをユーザに確認すると共に、ダウンロードとストリーミングの何れを選択するかを尋ねるステップを実行する（Ｐ８）。そして、前者が選択された場合、楽曲データ配信手段５３は、スマートフォン３に対し、ダウンロードする楽曲ファイルのデータを送信する（Ｐ９）。後者が選択された場合、楽曲データ配信手段５３は、スマートフォン３のブラウザアプリに対し、ストリーミングする楽曲ファイルのデータを送信する（Ｐ１０）。
【００４５】
［本実施形態の効果等］
本実施形態に係る楽曲配信システム１では、ティーシャツ６に付される電子透かし２に楽曲サーバ５にアップロードされた楽曲ファイルのＵＲＬアドレスのデータが含まれている。また、スマートフォン３は、電子透かし２を検出して読み取るステップを有する読取手段３１と、読取手段３１が読み取ったＵＲＬアドレスのデータを含む問合せデータを楽曲サーバ５に向けて送信するステップを有する送信手段３３を備えている。また、楽曲サーバ５は、問合せデータに基づいてデータベース５ｂを検索し、ユーザに配信する楽曲ファイルのデータを抽出するステップと、楽曲ファイルのデータをスマートフォン３に送信するステップとを有する楽曲データ配信手段５３を備えている。
【００４６】
そのため、本実施形態によれば、ユーザは日常的に使用する身近な商品であるティーシャツ６から音楽の配信を受けることが可能となり、ティーシャツ６がアーティストとファンを結び付ける新たな接点となる。ユーザがそのティーシャツ６を着用して旅行すれば、例えばバスに乗って移動中でも簡単に楽曲配信システム１を利用できる。商品が被服、かばん類、ベルト、履物の何れかである場合も、上記と同様の効果が得られる。
【００４７】
また、本実施形態では、電子透かし２を用いているため、正規に商品を購入したユーザ以外の者にはコードの存在を知られにくく、仮に知られても不正コピーをすることは困難である。また、電子透かし２は人の目では視認できないため、ティーシャツ６のデザイン性を損なうこともない。また、本実施形態では、ティーシャツ６に電子透かし２が埋め込まれたラベル７を貼着する方式を採用しているため、ラベル７は専用品として別途製造しておき、ラベル７をティーシャツ６の前面に縫製するだけで容易にティーシャツ６を製造できる。
【００４８】
また、本実施形態では、スマートフォン３においてダウンロードアクセスコード入力手段３２を、楽曲サーバ５において配信可否判断手段５２を実行することにより、商品を正規に購入したユーザのみがアクセスできるセキュリティの高いシステムが構築できる。
【００４９】
［登録サイトと連携した実施形態］
本実施形態は、図３に示すように、楽曲サーバ５以外に、ユーザがティーシャツ６を購入することが可能な販売手段を備えた販売サイト７１と、楽曲ファイルのアップロードが可能であると共に、ティーシャツ６の製造に必要な情報を登録し、プリントティーシャツメーカーに対し、ティーシャツ６の製造を発注することが可能な手段を備えた登録サイト８０とを備える。楽曲サーバ５と連携する登録サイト７１及び登録サイト８０は、インターネットを介してデータの送受信が可能なサーバ上に構築されるものである。
【００５０】
図３の実施形態の場合、販売サイト７１は、プリントティーシャツメーカーとは異なる第三者が運営するサイトであり、アーティスト又はアーティストの許諾を得た業者が契約しているサーバ上に構築されている。楽曲ダウンロード機能を備えたティーシャツ６の販売を企画したアーティストらは、登録サイト８０を利用して、ティーシャツ６の製造に必要な情報の登録（Ｐ２１）と、発注の指示を行う（Ｐ２２）。
【００５１】
登録サイト８０は、楽曲サーバ５にアップロードする楽曲ファイルのデータの登録を行う楽曲アップロード手段８１、ティーシャツ６の色、素材、最小管理単位（ＳＫＵ：Stock Keeping Unit）の登録を行う商品選択手段８２、販売価格を決定する販売価格設定手段
８３を備えている。楽曲アップロード手段８１により登録されたデータは、楽曲サーバ５のデータベース５ｂに保存される。そして、本実施形態では、ティーシャツ６の製造に必要な情報には、ティーシャツ６にプリントする図柄のデータが含まれている。
【００５２】
具体的には、本実施形態では、アーティストが製作したカバーアートの図柄をティーシャツ６の前身頃にプリントすることができるように、登録サイト８０は、カバーアートのデータのアップロードが可能なカバーアート登録手段８４を備えている。プリントティーシャツメーカーは、発注の指示に従い、カバーアートがプリントされたティーシャツ６を製造し、これをアーティストらに納品する（Ｐ２３）。アーティストらは納品されたティーシャツ６を元に販売サイト７１にティーシャツ６の写真、価格等を掲載する。
【００５３】
ユーザが販売サイト７１を通じてティーシャツ６を購入すると（Ｐ２４）、プリントティーシャツメーカーに直送の指示が出され、製造されたティーシャツ６がユーザに直送される（Ｐ２５）。あるいは、アーティストらが在庫を保有しているときは、アーティストらからユーザに商品が送付される（Ｐ２６）。その後、ユーザはスマートフォン３を使用して電子透かし２を読み取り、楽曲サーバ５にアクセスして楽曲ファイルのデータをダウンロードする（Ｐ２７）。本実施形態によれば、カバーアートがプリントされたティーシャツ６を効率的に製造し、ユーザに楽曲ファイルだけでなく、デザインからもそのアーティストの感性が感じられる商品を提供できる。
【００５４】
［実施形態の第１変形例］
本変形例は、図４に示すように、販売サイト７２が、アーティストらが運営するものではなく、プリントティーシャツメーカーが運営するものである点が、図３の実施形態とは相違している。本変形例では、アーティストらが登録サイト８０を用いてティーシャツ６の製造に必要な情報を登録し（Ｐ４１）、登録された情報（Ｐ４２）に従ってプリントティーシャツメーカーがティーシャツ６の写真や価格を自社の販売サイト７２に掲載し、販売サイト７２を利用してユーザがティーシャツ６を購入する（Ｐ４３）。ユーザが決済を済ませると受注情報（Ｐ４４）に従ってプリントティーシャツメーカーがティーシャツ６を製造し、ユーザに商品が納品される（Ｐ４５）。ユーザはスマートフォン３を使用して電子透かし２を読み取り、楽曲サーバ５にアクセスして楽曲ファイルのデータをダウンロードする（Ｐ４６）。本変形例の場合、プリントティーシャツメーカーの販売収益の一部がアーティストらに還元される。
【００５５】
［実施形態の第２変形例］
本変形例は、図５に示すように、販売サイトは存在せず、アーティストが公演するライブ会場でティーシャツ６が販売される点が、図３、図４の実施形態とは相違している。本変形例では、アーティストが登録サイト８０を用いてティーシャツ６の製造に必要な情報を登録し（Ｐ６１）、登録された情報（Ｐ６２）に従ってプリントティーシャツメーカーがティーシャツ６を製造し、アーティストに商品が納品される（Ｐ６３）。ユーザはライブ会場においてティーシャツ６を購入し（Ｐ６４）、後日、スマートフォン３を使用して電子透かし２を読み取り、楽曲サーバ５にアクセスして楽曲ファイルのデータをダウンロードする（Ｐ６５）。
【００５６】
［その他の変形例］
上述の実施形態において、コード２は、ＱＲコード（登録商標）等の二次元コードでもよいし、スマートフォン３で読み取り可能であればバーコードでもよい。
【００５７】
上述の実施形態において、携帯端末３は、タブレット端末や持ち運びが容易なノートパソコンであってもよい。
【００５８】
上述の実施形態において、ネットワーク４は、インターネットに限らず、ローカルネットワークでもよい。
【００５９】
上述の実施形態において、電子透かし２が埋め込まれる素材７は、ティーシャツ６の背面の内側上部に縫製によって貼着される織ネームもしくはタグでもよい。
【符号の説明】
【００６０】
１          楽曲配信システム
２          電子透かし（コード）
３          スマートフォン（携帯端末）
３ａ        ローカルファイル
３ｂ        表示画面
４          インターネット（ネットワーク）
５          サーバ
５ａ        管理ファイル
５ｂ        データベース
６          ティーシャツ（商品）
７          ラベル（素材）
８          ダウンロードアクセスコードカード
３１        読取手段
３２        ダウンロードアクセスコード入力手段
３３        送信手段
３４        受信手段
５１        受信手段
５２        配信可否判断手段
５３        楽曲データ配信手段
５４        送信手段
６０        課金サーバ
７１        販売サイト
７２        販売サイト
８０        登録サイト
８１        楽曲アップロード手段
８２        商品選択手段
８３        販売価格設定手段
８４        カバーアート登録手段
【図１】
0003234578.tif 000003
【図２】
0003234578.tif 000004
【図３】
0003234578.tif 000005
【図４】
0003234578.tif 000006
【図５】
0003234578.tif 000007